(57)【要約】【課題】  サンダル履き等の際に、足先をおしゃれに装飾でき、着脱操作を容易化でき、またフィットし易く、抜け落ちや位置ずれが起き難くなるようにする。【解決手段】  足の指１に嵌め合わす装着部２を略馬蹄形に形成する。この装着部２の両端部２ａ、２ｂに、足の指１の上に露出する飾り３を夫々設ける。一方の飾り３を装着部２の軸心方向に沿った軸部４を介して傾倒自在に形成する。この場合本発明は、一方の飾り３を、その中心を通る垂直線Ｌ上に装着部２の一方の端部２ａを位置決めして一方の端部２ａの真上に配置するのが好ましい。また本発明は、他方の飾り３の内側位置に装着部２の他方の端部２ｂを連結し、他方の飾り３を他方の端部２ｂの真上から外側にずらして設けるのが好ましい。【選択図】      図１
2006181059.tif 000002
【特許請求の範囲】
【請求項１】
足の指に嵌め合わされる装着部が略馬蹄形に形成され、この装着部の両端部に、足の指の上に露出する飾りが夫々設けられ、一方の飾りが装着部の軸心方向に沿った軸部を介して傾倒自在に形成されていることを特徴とする足用の指輪。
【請求項２】
請求項１記載の足用の指輪であって、一方の飾りが、その中心を通る垂直線上に装着部の一方の端部が位置決めされて一方の端部の真上に配置されていることを特徴とする足用の指輪。
【請求項３】
請求項２記載の足用の指輪であって、他方の飾りの内側位置に装着部の他方の端部が連結され、他方の飾りが他方の端部の真上から外側にずらされて設けられていることを特徴とする足用の指輪。
【発明の詳細な説明】
【技術分野】
【０００１】
本発明は足用の指輪に関し、更に詳しくは足の人差し指や薬指に嵌めておしゃれを楽しむことができるよう形成した足用の指輪に関するものである。
【背景技術】
【０００２】
従来、リングを完全な輪にせず、一部をカットして形成した指輪としては、例えば貴金属または樹脂製線材を円弧状に形成し、両端を球状化すると共に、貴金属や宝石類を線材に接合しているものがある（例えば特許文献１参照）。
【０００３】
ところで従来、指輪と言えば、手の指の装飾品として使用するのが一般的である。しかしサンダル等の足の指を露出させる履物を履くときは、足元がおしゃれになるよう、足の指に嵌めて足先を飾ることができるよう形成されているのが望ましい。
而して足の指は、通常、手の指のようには思うままに曲げたり、指を開かせることが困難である。従って足用の指輪は、装着を容易にでき、フィットし易く、抜け落ちや位置ずれがし難くなるよう形成する必要がある。
【特許文献１】実用新案登録第３０３４４３０号公報
【発明の開示】
【発明が解決しようとする課題】
【０００４】
本発明は、このような従来の実情に鑑み、提案されたものである。
従って本発明の解決しようとする技術的課題は、サンダル履き等の際に、足先をおしゃれに装飾でき、着脱操作を容易化でき、またフィットし易く、抜け落ちや位置ずれが起き難くなるよう形成した足用の指輪を提供することにある。
【課題を解決するための手段】
【０００５】
本発明は、上記の課題を解決するため、次のような技術的手段を採る。
即ち本発明は、図１等に示されるように、足の指１に嵌め合わされる装着部２が略馬蹄形に形成され、この装着部２の両端部２ａ、２ｂに、足の指１の上に露出する飾り３が夫々設けられ、一方の飾り３が装着部２の軸心方向に沿った軸部４を介して傾倒自在に形成されていることを特徴とする（請求項１）。
【０００６】
本発明の場合、装着部２は、例えば１８金やプラチナ等の貴金属、表面が鍍金された金属、或いは可撓性のプラスチック等で形成される。ここで、略馬蹄形とは、具体的には馬蹄形、Ｕ字形、釣り針形、逆Ω形等の形状を意味する。本発明の場合、飾り３は、ダイヤモンドや真珠等の宝石類を備えて形成されたり、貴金属等を例えば蝶やトンボ、或いは木の葉等の形態にデザインすることで実現される。
【０００７】
また本発明の指輪は、図２に示されるように、一方の飾り３が、その中心を通る垂直線Ｌ上に装着部２の一方の端部２ａが位置決めされて一方の端部２ａの真上に配置されているのが好ましい（請求項２）。
なぜならこれによると、隣り合う指１同士で一方の飾り３を挟み付けてバランス良く、安定的に、且つ確実に保持でき、一方の飾り３を指１の間に一層フィットさせ易くなり、抜け落ちや位置ずれ、紛失の防止を更に図ることができるからである。またこれによると、バランス良く指１の間に納まるから、ヒールが高いサンダル等の履物の場合でも、装着部２が指１に食い込むことを軽減でき、快適に装着できるからである。
【０００８】
またこの請求項２記載の本発明の場合は、他方の飾り３の内側位置に装着部２の他方の端部２ｂが連結され、他方の飾り３が他方の端部２ｂの真上から外側にずらされて設けられているのが好ましい（請求項３）。
なぜならこれによると、他方の飾り３が外側にずらされている分、装着部２の間口が広くなり、着脱操作を一層容易化できるからである。
【発明の効果】
【０００９】
本発明は、このように足の指に嵌め合わす装着部を略馬蹄形に形成し、この装着部の両端部に、足の指の上に露出する飾りを夫々設け、一方の飾りを装着部の軸心方向に沿った軸部を介して傾倒自在に形成しているものである。
従って本発明によれば、サンダル等を履いたとき、足の指を装飾でき、足先のおしゃれを楽しむことができる。
また本発明は、足の指に着脱操作するとき、一方の飾りを外側に傾倒させて装着部の間口を広げることができる。従ってこれによれば、指に付けたり指から取り外す着脱操作を容易化でき、フィットし易くなり、また装着時は飾りが足の指の間に挟まって保持され、抜け落ちや位置ずれがし難くなる。
【発明を実施するための最良の形態】
【００１０】
以下、本発明を実施するための最良の形態を説明する。
図１等において、１は足の指であり、２はこの足の指１に嵌め合わされる装着部である。装着部２は、１８金等の貴金属材で成型されると共に、一方の端部２ａが他方の端部２ｂより低い状態の、馬蹄形に形成されている。この場合、装着部２の内面と外面との間の幅（肉厚）は、装着時にサンダル等の履物の表面と足の指１との間に違和感が生じないよう小さく（薄く）選定されるのが好ましい。
【００１１】
３は、足の指１の上に露出する飾りである。この飾り３は、この実施形態では椀状の貴金属製の基部３ａに、多面体にカットされたダイヤモンド等の宝石３ｂが設けられることにより形成され、装着部２の両端部２ａ、２ｂに夫々設けられている。また飾り３の内、一方の飾り３は、装着部２の軸心方向に沿った軸部４を介して傾倒自在に形成されている。軸部４の両側は、同じ方向に９０度曲げられ、両方の端部４ａが飾り３の基部３ａの外面にロウ付けされている。
【００１２】
この場合、一方の飾り３は、その中心を通る垂直線Ｌ上に装着部２の一方の端部２ａが位置決めされて一方の端部２ａの真上に配置されている。またこの実施形態に係る本発明の場合、他方の飾り３は、基部３ａの内側位置に装着部２の他方の端部２ｂがロウ付け等の手段で連結され、他方の端部２ｂの真上から外側にずらされて設けられている。またこの実施形態の本発明は、一方の飾り３と他方の飾り３の大きさが、前者が後者より一回り大きい状態に形成され、足の指１の大小に合わせて装着できるよう構成されている。
【００１３】
本発明の指輪は、このように構成されているため、使用者は、図６に示されるように、本発明品を、足の例えば人差し指１に、その先端側から付け根に向かって差し込んで嵌め付けて使用する。この場合、使用者は、嵌め込み易くなるよう、一方の飾り３を外側に傾倒させ、装着部２の間口を広げて行なうのが良い。
而して装着された本発明品は、一方の飾り３が親指１と人差し指１の上面に基部３ａが当たって親指１と人差し指１で挟み付けられ、両指１の間から露出する。また他方の飾り３は、人差し指１と薬指１の間から上方に露出して配置される。この場合、他方の飾り３は、他方の端部２ｂの真上より外側にずらされて設けられているから、上から見たとき他方の飾り３は薬指１の中央寄りに配置される。
【００１４】
以上の処において、本発明は、他方の飾り３も装着部２の他方の端部２ｂの真上に配置されているのでも良い。また本発明は、一方の飾り３と他方の飾り３が、デザインを違えて形成されるのでも良い。この場合は、面白味や斬新性が一層向上し、装飾効果の高い本発明品を提供できる。更に本発明の場合、軸部４は、例えば飾り３の基部３ａの中に横架され、この軸部４に装着部２の一方の端部２ａが枢着されているのでも良い。この場合は、一方の飾り３と一方の端部２ａとの枢着箇所を隠すことができるから、見栄えが良くなる。
【図面の簡単な説明】
【００１５】
【図１】本発明の指輪の好適な一実施形態を示す使用状態時の斜視図である。
【図２】同上指輪の正面図である。
【図３】同上指輪の平面図である。
【図４】図３のＩＶ−ＩＶ線における断面図である。
【図５】一方の飾りが傾倒時の平面図である。
【図６】同上指輪の装着作用を説明するための平面図である。
【符号の説明】
【００１６】
１    足の指
２    装着部
２ａ  一方の端部
２ｂ  他方の端部
３    飾り
３ａ  基部
３ｂ  宝石
４    軸部
４ａ  端部
Ｌ    垂直線
【図１】
2006181059.tif 000003
【図２】
2006181059.tif 000004
【図３】
2006181059.tif 000005
【図４】
2006181059.tif 000006
【図５】
2006181059.tif 000007
【図６】
2006181059.tif 000008